(57)【要約】【課題】乳幼児が母親から離れた場合であっても、乳幼児の安らかな眠りを持続し易い着用物品を提供する。【解決手段】使い捨ておむつ10は、着用者の腹部を覆う前胴回り部Ｓ１、及び着用者の臀部を覆う後胴回り部Ｓ２を含む胴回り部と、着用者の股下に配置される股下部Ｓ３と、を有する。胴回り部には、着用者の腰回りを囲み、該腰回りを支持する腰支持手段（腰回り弾性部材８２フィット弾性部材８３、外装表面シート７１、外装裏面シート７２）が設けられている。股下部及び胴回り部の少なくとも一方には、着用者の脚を腹側に押し上げつつ着用者の脚を支持する脚支持手段（前レッグ弾性部材８１Ｆ、吸収体３０、押圧部材９０）が設けられている。【選択図】図１
2015073624.tif 000002
【特許請求の範囲】
【請求項１】
着用者の腹部を覆う前胴回り部、及び前記着用者の臀部を覆う後胴回り部を含む胴回り部と、
前記前胴回り部と前記後胴回り部の間に配置され、かつ前記着用者の股下に配置される股下部と、
を有する着用物品であって、
前記胴回り部には、前記着用者の腰回りを囲み、該腰回りを支持する腰支持手段が設けられ、
前記股下部及び前記胴回り部の少なくとも一方には、前記着用者の脚を腹側に押し上げつつ前記着用者の脚を支持する脚支持手段が設けられている、着用物品。
【請求項２】
前記脚支持手段は、前記着用者の脚回りに配置され、当該脚回りに沿って伸縮するレッグ弾性部材によって構成されており、
前記レッグ弾性部材は、前記後胴回り部側の前記着用者の脚回りを前記腹側に向かって引き寄せるように収縮する、請求項１に記載の着用物品。
【請求項３】
前記レッグ弾性部材は、前記後胴回り部側に位置する後レッグ弾性部材と、前記前胴回り部側に位置する前レッグ弾性部材と、を有し、
前記前レッグ弾性部材が配置された領域の伸縮率は、前記後レッグ弾性部材が配置された領域の伸縮率よりも高い、請求項２に記載の着用物品。
【請求項４】
前記後胴回り部の前記着用者の臀部に当接する臀部当接部の収縮応力は、前記後レッグ弾性部材が配置された領域の収縮応力よりも低い、請求項３に記載の着用物品。
【請求項５】
前記前胴回り部の前記着用者の腹部に当接する腹部当接部の収縮応力は、前記前レッグ弾性部材が配置された領域の収縮応力よりも低い、請求項３又は請求項４に記載の着用物品。
【請求項６】
前記着用者の脚回りに配置される脚回り開口部が形成されており、
前記脚回り開口部の前記幅方向における内側端部は、前記着用物品の前後方向の中心よりも前側に位置する、請求項１から請求項５のいずれかに記載の着用物品。
【請求項７】
前記脚支持手段は、前記着用者の臀部側の脚回り部及び前記着用者の臀部に当接し、前記着用者の脚を腹側に押圧する押圧部材である、請求項１から請求項３のいずれかに記載の着用物品。
【請求項８】
少なくとも前記股下部に配置され、体液を吸収する吸収体を備えており、
前記脚支持手段は、前記吸収体によって構成されている、請求項７に記載の着用物品。
【発明の詳細な説明】
【技術分野】
【０００１】
本発明は、着用者の腰回りを囲み、当該腰回りを支持する着用物品に関する。
【背景技術】
【０００２】
近年、乳幼児を一時的に寝かせたり、座らせたりするベビーラックシートとして、乳幼児を快適な姿勢で寝かせるための姿勢保持機構を有するベビーラックシートが提案されている（例えば、特許文献１参照）。姿勢保持機能は、例えば、乳幼児の頭部を支持する頭部パッド、乳幼児の背部を支持する背部パッド、及び乳幼児の臀部を支持する臀部パッドによって実現される。
【０００３】
このような姿勢保持機能を有するベビーラックシートによれば、乳幼児の頭部、背部及び臀部を支持して、乳幼児の姿勢を維持できる。
【先行技術文献】
【特許文献】
【０００４】
【特許文献１】特開２００７−２２５０３号公報
【発明の概要】
【発明が解決しようとする課題】
【０００５】
しかし、上述したベビーラックシートには、以下の問題点があった。ベビーラックシートを使用する際は、母親が乳幼児をかかえて、当該ベビーラックシートに乳幼児を寝かせる。一般的に、乳幼児を安定した状態でベビーラックシートに寝かせるために、母親が抱っこした状態で一旦乳幼児を寝かしつけ、乳幼児が寝た後にベビーラックシートに寝かせることが行われている。
【０００６】
しかし、母親の腕に包まれた状態で一旦乳幼児が寝た場合であっても、母親が乳幼児を離すと乳幼児の身体が一時的に不安定な状態となり、乳幼児が起きてしまうことがあった。そのため、乳幼児の安らかな眠りを維持できないことがあった。
【０００７】
そこで、本発明は、このような状況に鑑みてなされたものであり、乳幼児が母親から離れた場合であっても、乳幼児の安らかな眠りを持続し易い着用物品を提供することを目的とする。
【課題を解決するための手段】
【０００８】
本開示に係る着用物品（使い捨ておむつ10）は、着用者の腹部を覆う前胴回り部（前胴回り部Ｓ１）、及び前記着用者の臀部を覆う後胴回り部（後胴回り部Ｓ２）を含む胴回り部と、前記前胴回り部と前記後胴回り部の間に配置され、かつ前記着用者の股下に配置される股下部（股下部Ｓ３）と、を有する着用物品であって、前記胴回り部には、前記着用者の腰回りを囲み、該腰回りを支持する腰支持手段（腰回り弾性部材８２フィット弾性部材８３、外装表面シート７１、外装裏面シート７２）が設けられ、前記股下部及び前記胴回り部の少なくとも一方には、前記着用者の脚を腹側に押し上げつつ前記着用者の脚を支持する脚支持手段（前レッグ弾性部材８１Ｆ、吸収体３０、押圧部材９０）が設けられていることを要旨とする。
【発明の効果】
【０００９】
本開示によれば、乳幼児が母親から離れた場合であっても、乳幼児の安らかな眠りを持続し易い着用物品を提供することができる。
【図面の簡単な説明】
【００１０】
【図１】本実施形態に係る使い捨ておむつの伸長状態の展開平面図である。
【図２】図１に示す使い捨ておむつを着用者に装着し、着用者が脚を伸ばした状態を示す図である。
【図３】図１に示す使い捨ておむつを着用者に装着し、着用者が脚を曲げた状態を示す図である。
【図４】変形例１に係る使い捨ておむつの伸長状態の展開平面図である。
【図５】変形例２に係る使い捨ておむつの吸収体の平面図である。
【図６】図５に示すＡ−Ａ断面における装着状態を模式的に示した図である
【図７】変形例３に係る使い捨ておむつの展開平面図である。
【図８】図７に示すＢ−Ｂ断面図である。
【発明を実施するための形態】
【００１１】
次に、本発明に係る着用物品の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１２】
したがって、具体的な寸法などは以下の説明を参酌して判断すべきである。また、図面相互間においても互いの寸法の関係や比率が異なる部分が含まれ得る。
【００１３】
本実施の形態の着用物品は、パンツ型の使い捨ておむつ10である。なお、本発明における着用物品は、パンツ型の使い捨ておむつに限れられず、テープタイプの使い捨ておむつであってもよい。また、本発明の着用物品は、使い捨ておむつに限られず、排泄物を吸収する吸収体を有しない下着等の衣服であってもよい。
【００１４】
（１）使い捨ておむつの全体概略構成
図１は、本実施形態に係る使い捨ておむつ10の伸長状態の展開平面図である。図２及び図３は、図１に示す使い捨ておむつを着用者に装着した状態を示す図であり、着用者の左側側面から視認した状態を模式的に示している。なお、以下、図１等の平面図は、使い捨ておむつを構成する表面シート等の皺が形成されない状態まで腰回り弾性部材等の弾性部材を伸長させた図である。
【００１５】
使い捨ておむつ１は、着用者の身体前側と身体後側とに延びる前後方向Ｌと、前後方向Ｌに直交する幅方向Ｗと、着用者に向かう内方向及び内方向と反対側に向かう外方向を有する厚み方向と、を有する。
【００１６】
使い捨ておむつ１は、図１に示すように、使い捨ておむつ１の前後方向Ｌにおいて、着用者の腹部を含む前胴回りに当てられる前胴回り部Ｓ１と、着用者の臀部を含む後胴回りに当てられる後胴回り部Ｓ２と、着用者の股下に当てられ、前胴回り部Ｓ１と後胴回り部Ｓ２との間に位置する股下部Ｓ３と、を有する。胴回り部は、前胴回り部Ｓ１と後胴回り部によって構成される。
【００１７】
前胴回り部Ｓ１は、当該前胴回り部を前後方向に３等分した第１前領域ＲＦ１、第２前領域ＲＦ２及び第３前領域ＲＦ３に区画される。第１前領域ＲＦ１は、前胴回り部Ｓ１の前後方向内側端部を含む領域であり、第３前領域ＲＦ３は、前胴回り部Ｓ１の前後方向外側端部を含む領域であり、第２前領域ＲＦ２は、第１前領域ＲＦ１と第３前領域ＲＦ３の間に位置する。後胴回り部Ｓ２は、当該後胴回り部を前後方向に３等分した第１後領域ＲＲ１、第２後領域ＲＲ２及び第３後領域ＲＲ３に区画される。第１後領域ＲＲ１は、後胴回り部Ｓ２の前後方向内側端部を含む領域であり、第３後領域ＲＲ３は、前胴回り部Ｓ１の前後方向外側端部を含む領域であり、第２後領域ＲＲ２は、第１後領域ＲＲ１と第３後領域ＲＲ３の間に位置する。
【００１８】
使い捨ておむつ１は、吸収性本体１Ａと、外装体１Ｂと、から構成されており、これらは互いに、接着剤や熱融着などによって接合されている。
【００１９】
吸収性本体１Ａは、着用者の肌当接面側に位置する表面シート２１と、着用者の非肌当接面側に位置する裏面シート（図示せず）と、表面シート２１と裏面シートの間に位置する吸収体３０と、を少なくとも有する。吸収性本体１Ａは、前胴回り部Ｓ１、後胴回り部Ｓ２、及び股下部Ｓ３に跨がって配置されている。
【００２０】
表面シート２１は、液透過性であり、吸収体３０の表面側（肌当接面側）に設けられる。表面シートは、例えば、不織布によって構成される。
【００２１】
裏面シートは、液不透過性であり、吸収体３０の裏面側（非肌当接面側）に設けられる。裏面シートは、例えば、液を透過しないフィルムによって構成される。なお、裏面シートは、１枚のシートによって構成されていてもよいし、複数のシートが積層されて構成されていてもよい。
【００２２】
吸収体３０は、吸収性材料が積層された吸収性コアを有する。本実施の形態の吸収体３０は、パルプとＳＡＰが混合された吸収性コアと、当該吸収性コアを包むコアラップと、から構成されている。コアラップは、例えば、テッシュを用いることができる。なお、吸収体３０は、吸収性コアを包むコアラップを有していなくてもよい。
【００２３】
外装体１Ｂは、前胴回り部に配置される前外装体１ＢＦと、後胴回り部に配置される後外装体１ＢＲと、を有する。前外装体１ＢＦと後外装体１ＢＲは、前後方向において互いに離間している。なお、前外装体１ＢＦと後外装体１ＢＲとが一体化されていてもよい。
【００２４】
前外装体１ＢＦの一方の幅方向外側に位置する前胴回り縁部４が、後外装体１ＢＲの一方の幅方向外側に位置する後胴回り縁部６と接合され、かつ前外装体１ＢＦの他方の幅方向外側に位置する前胴回り縁部４’が、後外装体１ＢＲの幅方向外側に位置する後胴回り縁部６’と接合されることによって、使い捨ておむつ１がパンツ型に形成される。パンツ型の使い捨ておむつの前胴回り部及び後胴回り部には、互いの縁部が接合された接合部３が形成されており（図２参照）、股下部Ｓ３は、接合部３よりも前後方向内側の域である。
【００２５】
使い捨ておむつ１には、図２に示すように、パンツ型に形成された状態で、着用者の腰回りを囲んで配置される腰回り開口部８と、着用者の脚回りを囲んで配置される一対の脚回り開口部９と、が形成される（図２参照）。
【００２６】
外装体１Ｂは、着用者の肌当接面側に位置する外装表面シート７１（図１参照）と、非肌当接面側に位置する外装裏面シート７２（図２参照）と、を有する。外装表面シート７１と外装裏面シート７２の間に、着用者の脚回りに配置されるレッグ弾性部材８１と、着用者の腰回りに配置される腰回り弾性部材８２と、フィット弾性部材８３と、が設けられている。レッグ弾性部材８１、腰回り弾性部材８２、及びフィット弾性部材８３は、幅方向に沿って配置されており、幅方向に伸縮可能である。
【００２７】
前外装体１ＢＦと後外装体１ＢＲは、前外装体１ＢＦと後外装体１ＢＲとが接合された状態で着用者の腰回りを囲み、該腰回りを支持する腰支持手段として機能する。腰支持手段は、着用者の腰回り全周を囲む機能と、着用者の腰回りを支えて保持する機能と、を有する。腰支持手段は、着用者の腰回りを囲むように配置される外装表面シート７１及び外装裏面シート７２と、幅方向に伸縮することによって着用者の腰回りに外装表面シート等をフィットさせるフィット弾性部材８３と、腰回り開口部の周囲に配置され、かつ着用者の腰回りを支持する腰回り弾性部材８２と、によって構成されている。
【００２８】
腰回り弾性部材８２は、第３前領域ＲＦ３と第３後領域ＲＲ３とに配置されている。フィット弾性部材８３は、前胴回り部において第３前領域ＲＦ３と第２前領域ＲＦ２に配置され、後胴回り部において第３後領域ＲＲ３と第２後領域ＲＲ２に配置されている。
【００２９】
レッグ弾性部材８１は、前胴回り部Ｓ１に配置される前レッグ弾性部材８１Ｆと、後胴回り部Ｓ２に配置される後レッグ弾性部材８１Ｒと、を有する。レッグ弾性部材８１は、着用者の脚を腹側に押し上げつつ着用者の脚を支持する脚支持手段として機能する。本実施の形態の脚支持手段としてのレッグ弾性部材は、胴回り部における第１前領域ＲＦ１及び第１後領域ＲＲ１に設けられている。
【００３０】
前レッグ弾性部材８１Ｆが配置された第１前領域ＲＦ１の伸縮率は、後レッグ弾性部材８１Ｒが配置された第１後領域ＲＲ１の伸縮率よりも高い。具体的には、第１後領域ＲＲ１の幅方向の伸縮率は、１．６倍〜３．６倍であり、第１前領域ＲＦ１の幅方向の伸縮率は、１．８倍〜３．８倍である。よって、使い捨ておむつの脚回り開口部９は、後側よりも前側の方が収縮し、前側に向いて開口する。また、使い捨ておむつが着用された状態で、前胴回り部側の脚回り開口部は、後胴回り部側の脚回り開口部よりも収縮する。よって、着用者の脚は、レッグ弾性部材によって前側に引き寄せられる。
【００３１】
第１後領域ＲＲ１の伸縮率は、第２後領域ＲＲ２の伸縮率よりも高い。具体的には、第１後領域ＲＲ１の幅方向の伸縮率は、１．６倍〜３．６倍であり、第２後領域ＲＲ２の幅方向の伸縮率は、１．６倍〜３．３倍である。
【００３２】
第１前領域ＲＦ１の伸縮率は、第２前領域ＲＦ２の伸縮率よりも高い。具体的には、第１前領域ＲＦ１の幅方向の伸縮率は、１．８倍〜３．８倍であり、第２前領域ＲＦ２の幅方向の伸縮率は、１．５倍〜３．２倍である。
【００３３】
また、前レッグ弾性部材８１Ｆが配置された第１前領域ＲＦ１の収縮応力は、後レッグ弾性部材８１Ｒが配置された第１後領域ＲＲ１の収縮応力よりも低い。具体的には、第１前領域ＲＦ１の収縮応力は、０．２N/10mm〜０．５N/10mmであり、第１後領域ＲＲ１の収縮応力は、０．３N/10mm〜１．０N/10mmである。第１前領域ＲＦ１の収縮応力が第１後領域ＲＲ１の収縮応力よりも低いため、第１前領域ＲＦ１は、第１後領域ＲＲ１よりも伸び易い。よって、着用者が脚を前側により引き寄せ易くなる。
【００３４】
第１後領域ＲＲ１の収縮応力は、第２後領域ＲＲ２の収縮応力よりも高い。具体的には、第１後領域ＲＲ１の収縮応力は、０．３N/10mm〜１．０N/10mmであり、第２後領域ＲＲ２の収縮応力は、０．２５N/10mm〜０．９N/10mmである。
【００３５】
第１前領域ＲＦ１の収縮応力は、第２前領域ＲＦ２の収縮応力よりも高い。具体的には、第１前領域ＲＦ１の収縮応力は、０．２N/10mm〜０．５N/10mmであり、第２前領域ＲＦ２の収縮応力は、０．１〜０．５N/10mmである。
【００３６】
なお、本実施の形態の脚支持手段は、後レッグ弾性部材８１Ｒの伸縮率よりも高い前レッグ弾性部材８１Ｆによって構成されているが、本発明の脚支持手段は、当該構成に限定されない。脚支持手段は、着用者の後胴回り部側の脚回りを腹側に向かって引き寄せるように構成されていればよく、例えば、前レッグ弾性部材のみを配置し、後レッグ弾性部材を配置しない構成であってもよいし、前レッグ弾性部材の本数や面積を後レッグ弾性部材の本数や面積よりも多くする構成であってもよい。
【００３７】
また、レッグ弾性部材は、外装体の幅方向全域に配置されているが、吸収体と重なる部分のレッグ弾性部材は、非伸長状態で配置されていることが好ましい。非伸長状態のレッグ弾性部材は、伸縮性を発揮しない状態で配置されたレッグ弾性部材である。幅方向に伸長しない状態で外装シートにレッグ弾性部材を固定したり、レッグ弾性部材を切断したりすることにより、レッグ弾性部材が非伸長状態となる。
【００３８】
前外装体１ＢＦの第２前領域ＲＦ２は、着用者の腹部に当接し、腹部当接部として機能する。第２前領域ＲＦ２は、幅方向に伸縮性を有する。第２前領域ＲＦ２は、少なくとも幅方向に伸縮可能であればよく、前後方向Ｌ及び幅方向Ｗに伸縮可能であってもよい。第２前領域ＲＦ２は、例えば、例えば、メッシュ状のシートによって構成されていてもよいし、伸縮性を有する不織布によって構成されていてもよいし、弾性部材が伸長固定された非伸縮性のシートによって構成されていてもよい。本実施の形態の第２前領域ＲＦ２は、外装表面シート７１と、外装裏面シート７２と、外装表面シート７１と外装裏面シート７２の間に配置されたフィット弾性部材８３と、によって構成されている。  上述のように第２前領域ＲＦ２の伸縮率は、第１前領域ＲＦ１の伸縮率よりも低い。また、第２前領域ＲＦ２の収縮応力は、第１前領域ＲＦ１の収縮応力よりも低い。
【００３９】
後外装体１ＢＲの第２後領域ＲＲ２は、着用者の臀部に当接し、臀部当接部として機能する。第２後領域ＲＲ２は、幅方向に伸縮性を有する。第２後領域ＲＲ２は、少なくとも幅方向に伸縮可能であればよく、前後方向及び幅方向に伸縮可能であってもよい。第２後領域ＲＲ２は、例えば、メッシュ状のシートによって構成されていてもよいし、伸縮性を有する不織布によって構成されていてもよいし、弾性部材が伸長固定された非伸縮性のシートによって構成されていてもよい。本実施の形態の第２後領域ＲＲ２は、外装表面シート７１と、外装裏面シート７２と、外装表面シート７１と外装裏面シート７２の間に配置されたフィット弾性部材８３と、によって構成されている。
【００４０】
上述のように第２後領域ＲＲ２の伸縮率は、第１後領域ＲＲ１の伸縮率よりも低い。また、第２後領域ＲＲ２の収縮応力は、第１後領域ＲＲ１の収縮応力よりも低い。
【００４１】
なお、弾性部材が配置された領域の収縮応力は、（株）島津製作所製：オートグラフ型引張試験機、例えば形式ＡＧ−１ＫＮＩを用いて、サイクル試験にて測定できる。
【００４２】
具体的には、以下の方法に沿って測定できる。予め、対象とする使い捨ておむつの脇部の左右の接合部の内々間距離を、サンプル表面にしわが発生しない状態にまで伸ばした状態にて測定する。当該測定値を最大伸長時サンプル幅Ａとする。左右接合部の内々間距離とは、前胴回り縁部４側の接合部と前胴回り縁部４’側の接合部との幅方向の距離である。
【００４３】
次いで、対象とするおむつ胴回り部の一方の側（前側又は後側）から測定対象域を切り出し、試料を用意する。切り出した試料を、チャック間距離１００ｍｍとして、左右係止め領域を試験機のチャックに固定する。次いで、サンプルが伸長する方向に、１００ｍｍ／分の速度で伸度８５％（距離Aの８５％）まで伸長させその後、１００ｍｍ／分の速度で、伸度７０％の長さまで戻す（距離Aの７０％）。この時の、応力（N）を測定結果値とし、サンプル幅を基に、10mm幅あたりの応力値（N/10mm）へと換算して、収縮応力の値とする。
【００４４】
また、伸縮率は、収縮方向（本実施形態では、幅方向Ｗ）における伸縮の程度を意味し、以下のように規定される。
【００４５】
伸縮率＝（最大伸張状態における測定領域の収縮方向における長さ）/（自然状態における測定領域の収縮方向における長さ）
なお、本明細書において、かかる伸縮率は、例えば、次のように測定されるものとする。
【００４６】
第１に、使い捨ておむつがパッケージ等に封入されている場合には、パッケージから使い捨ておむつを取り出し、その状態にて20℃±２℃、相対湿度６０％±５％ＲＨの雰囲気下において６０分間放置し、収縮方向に沿って測定領域（例えば、第１前領域ＲＦ１）の長さを測定する。この長さを、「自然状態の測定領域（例えば、第１前領域ＲＦ１）の長さ」とする。
【００４７】
第２に、かかる状態（すなわち、自然状態）における所望領域の収縮方向における長さ、及び、自然状態から弾性部材による皺が目視にて確認できない状態まで延伸した時の測定領域の収縮方向における長さを測定する。この長さを、「伸長状態における測定領域（例えば、第１前領域ＲＦ１）の長さ」とする。
【００４８】
これら測定結果を用い、上述の式にて算出することで伸縮率が測定される。
【００４９】
（２）使い捨ておむつの装着態様
次いで、このように構成された使い捨ておむつの装着形態様について説明する。図２及び図３は、着用者の左側側面から視認した状態を模式的に示している。図２は、着用者が脚を伸ばした状態であり、図３は、着用者が脚を腹側に上げ、前屈みの姿勢を取った状態である。
【００５０】
図２に示す着用者が脚を伸ばした状態では、着用者の腰回りは、使い捨ておむつの前外装体１ＢＦと後外装体１ＢＲによって囲まれている。また、腰回り弾性部材の収縮によって前外装体１ＢＦと後外装体１ＢＲは、着用者の腰回りに密着しており、着用者の腰回りが支持される。また、前レッグ弾性部材の伸縮率は、後レッグ弾性部材の伸縮率よりも高いため、着用者の脚回りには、背側の脚回りを腹側に押圧する力が作用する。よって、腹側に引き寄せられる。よって、着用者は、自然に脚を腹側に寄せるような姿勢を取りやすくなる。
【００５１】
図３は、着用者が脚を腹側に寄せるように姿勢を変化した状態を示している。前レッグ弾性部材の伸縮率は、後レッグ弾性部材の伸縮率よりも高いため、レッグ弾性部材によって着用者の脚回りを腹側に寄せるように押圧する。よって、着用者が一旦脚を腹側に寄せるような姿勢を維持すると、当該姿勢を維持し易くなる。
【００５２】
（３）作用・効果
母親が抱っこした状態では、母親によって着用者の腰回りが支持されているが、着用者をベッド等に移動しようとすると、母親の支持がなくなる。しかし、本実施の形態の使い捨ておむつは、腰支持手段によって着用者の腰回りを囲んで支持することにより、ベッド等に移動する最中も母親に包まれた状態を擬似的に実現可能となる。本出願人が種々検証を行った結果、乳幼児が母親に包まれた状態を擬似的に体感することにより、乳幼児の安らかな眠りを持続し易いことがわかった。よって、乳幼児が母親に包まれた状態を擬似的に体感することにより、乳幼児の安らかな眠りを持続し易くなる。
【００５３】
また、本出願人が鋭意研究を重ねた結果、乳幼児は、身体前側が縮むような前屈みの姿勢（脚を付け根から曲げ、脚を腹側に寄せる姿勢）において落ち着いて安眠し易いことがわかった。例えば、母親が抱っこした状態では、母親によって着用者の脚を支持され、着用者の脚が腹側に寄せられているが、着用者をベッド等に移動しようとすると、母親の支持がなくなる。
【００５４】
本実施の形態の使い捨ておむつは、脚支持手段によって着用者の脚を腹側に押し上げることにより、前屈みの姿勢を維持し易くなり、乳幼児が落ち着いた安眠状態を維持し易くなる。
【００５５】
このように構成された使い捨ておむつによれば、母親に抱っこされた状態であっても、母親から離れた状態であっても、抱っこ感を実現でき、母親から離れたことによる乳幼児の不安感を抑制し易い。
【００５６】
着用者の臀部に当接する臀部当接部としての第２後領域ＲＲ２の収縮応力は、後レッグ弾性部材が配置された第１後領域ＲＲ１の収縮応力よりも低い。身体前側が縮むような前屈みの姿勢を取ると、着用者の皮膚は伸び縮みされ、特に臀部近傍の皮膚は、身体前側が縮むような前屈みの姿勢をとると、身体を伸ばした状態に対して30%程度伸びる。このとき、臀部当接部の収縮応力が低いため、皮膚の伸び縮みに好適に追従できる。よって、着用者は、身体前側が縮むような前屈みの姿勢を容易に取ることが可能となり、また一旦前屈みの姿勢取った際に、当該姿勢を維持し易くなる。
【００５７】
着用者の腹部に当接する腹部当接部を構成する第２前領域ＲＦ２の収縮応力は、前レッグ弾性部材が配置された第１前領域ＲＦ１の収縮応力の伸縮率よりも低い。着用者である乳幼児は、一般的に、飲食や排泄の状況に応じて着用者の腹の膨らみが変化する。腹部に当接する第２前領域ＲＦ２の収縮応力が低いため、着用者の腹部を締め付けすぎずに、ゆったりと覆うことができる。
【００５８】
レッグ弾性部材は、着用者の後胴回り部側の脚回りを腹側に向かって引き寄せるように収縮するため、着用者の脚を前側に引き寄せ易くなる。乳幼児が母親に抱えられた状態では、乳幼児は、身体前側が縮むような前屈みの姿勢となる。よって、乳幼児は、身体前側が縮むような前屈みの姿勢を取ることにより、母親に抱えられた状態を乳幼児が疑似的に感じ、乳幼児が安心感を得ることができる。乳幼児は、身体前側が縮むような前屈みの姿勢を容易に取ることが可能となり、落ち着いて安眠し易くなる。
【００５９】
前レッグ弾性部材が配置された第１前領域の伸縮率は、後レッグ弾性部材が配置された第１後領域伸縮率よりも高いため、前胴回り部の脚回り開口部が後胴回り部の脚回り開口部よりも収縮する。よって、着用者の脚を前側に引き寄せ易い。
【００６０】
（４）変形例に係る着用物品
次いで、変形例に係る着用物品について、説明する。なお、以下の変形例の説明においては、上述した実施形態に係る使い捨ておむつ１０と同一部分には同一の符号を付して、相違する部分を主として説明する。
【００６１】
図４は、変形例１に係る使い捨ておむつ１０Ａの伸長状態の展開平面図である。変形例に係る使い捨ておむつ１０Ａの外装体は、前外装体１ＢＦと後外装体１ＢＲとが一体化しており、前胴回り部Ｓ１、後胴回り部Ｓ２及び股下部Ｓ３に跨がって配置されている。
【００６２】
外装体の股下部Ｓ３の幅方向端部は、幅方向内側に凹んでおり、脚回り開口部９を形成する。脚回り開口部９の幅方向における内側端部９Ｉは、使い捨ておむつの前後方向の中心ＣＬ１よりも前側に位置する。脚回り開口部９の幅方向における内側端部９Ｉが、使い捨ておむつの前後方向の中心ＣＬよりも前側に位置するため、使い捨ておむつの脚回り開口部は、後胴回り部よりも前胴回り部側に偏倚して配置される。よって、着用者の脚周りを腹側に誘導することができ、着用者がより前屈みの姿勢を維持し易くなる。
【００６３】
外装体１Ｂの前側端部は、伸縮性を有するシート材のみによって構成されている。外装体の前側端部は、着用時に乳幼児の膨らんだ腹を覆うように配置される。また、乳幼児が脚等を動かすと、外装体の前側端部は、腹に沿って前後方向に移動する。このとき、外装体の前側端部が腹の膨らみに沿って円滑に移動しないと、乳幼児の腹を締め付けてしまったり、腹に対して使い捨ておむつが突っ張ったりすることがある。しかし、外装体の前側端部は、伸縮性を有するシート材のみによって構成されているため、幅方向に伸縮することで、曲線状の腹の形状に沿って配置され、曲線状の身体を覆うことができる。
【００６４】
また、外装体の前側端部は、非伸縮性を有するシート材のみによって構成されていてもよい。
【００６５】
また、変形例１に係る前レッグ弾性部材が配置された領域の伸縮率及び後レッグ弾性部材が配置された領域の伸縮率は、幅方向において変化している。具体的には、レッグ弾性部材が配置された領域のうち吸収体よりも幅方向外側に位置する領域を、幅方向に２等分した内側領域ＲＷ１と外側領域ＲＷ２において、伸縮率が異なるように構成されている。
【００６６】
内側領域ＲＷ１の伸縮率は、外側領域の伸縮率よりも高い。内側領域は、着用者の脚繰りに近い領域である。当該内側領域の伸縮率が比較的高く構成されているため、前レッグ弾性部材８１Ｆ及び後レッグ弾性部材８１Ｒによって脚の付け根側に脚を引き寄せ易くなる。よって、更に、着用者が脚を腹側に上げた前屈みの姿勢を取り易くなる。
【００６７】
図５及び図６は、変形例２に係る使い捨ておむつの吸収体３０を示している。図５は、変形例２に係る使い捨ておむつの吸収体３０の平面図であり、図６は、図５に示すＡ−Ａ断面における装着状態を模式的に示した図である。
【００６８】
変形例に２係る吸収体３０は、着用者の臀部側の脚回り及び着用者の臀部に当接し、着用者の脚を腹側に押圧する押圧部材である。当該押圧部材は、脚支持手段として機能する。
【００６９】
より、詳細には、押圧部材としての吸収体３０は、厚み方向において非肌当接面側に凹む凹み部３１が形成されている。凹み部３１は、着用者の臀部の膨らみが挿入可能に構成されている。凹み部３１の深さは、前後方向において変化している。凹み部が最も深い部分は、凹み部の前後方向の中心よりも後方に位置する。
【００７０】
このように構成された吸収体上に着用者が配置されると、着用者の臀部の最も膨らむ部分が、凹み部の最も深い部分に当接する。凹み部の最も深い部分は、凹み部の前後方向中心よりも後方に位置し、吸収体は、凹み部が最も深い部分から前方に向けて緩やかに着用者側に傾斜する。よって、吸収体の傾斜によって、着用者の脚の付け根部分を腹側（図６に示す上方側）に押し上げることができる。
【００７１】
このように押圧手段としての吸収体によって着用者の脚の付け根部分を腹側に押し上げることにより、乳幼児が落ち着く前屈みの姿勢を維持し易い。よって、乳幼児が母親から離れた場合であっても、母親に抱えられた状態を乳幼児が体感でき、乳幼児の安らかな眠りを持続し易くなる。
【００７２】
なお、押圧手段としての吸収体は、体液を吸収する吸収性材料を構成するパルプ及びＳＡＰを有して構成される。より好適には、吸収性材料全体に対するＳＡＰの重量比率が、３０％〜７５％であることが望ましい。
【００７３】
図７及び図８は、変形例３に係る使い捨ておむつ１０Ｂを示している。図７は、変形例３に係る使い捨ておむつ１０Ｂの展開平面図であり、図８は、図７に示すＢ−Ｂ断面図である。
【００７４】
変形例３に係る使い捨ておむつ１０Ｂは、着用者の臀部側の脚回り及び着用者の臀部に当接し、着用者の脚を腹側に押圧する押圧部材９０を有する。当該押圧部材９０は、脚支持手段として機能する。
【００７５】
実施例３の押圧部材９０は、吸収体３０と別体で形成されており、吸収体３０の肌当接面側に配置される。押圧部材９０は、表面シート２１の肌当接面側に配置され、着用者に当接するように構成されている。
【００７６】
押圧部材９０は、平面視にてリング状である。図８の断面に示すように、押圧部材のリングの内側部分（リングに寄って囲まれた部分）は、リング部分よりも凹んでいる。このリングによって囲まれた部分に、着用者の臀部が挿入可能である。
【００７７】
このように構成された使い捨ておむつ上に着用者が配置されると、着用者の臀部の最も膨らむ部分が、押圧部材の内側の凹んだ部分に当接し、着用者の脚の付け根が、押圧部材に当接する。よって、押圧部材によって、着用者の脚の付け根部分を腹側（図８に示す上方側）に押し上げることができる。
【００７８】
このように押圧手段によって着用者の脚の付け根部分を腹側に押し上げることにより、乳幼児が落ち着く前屈みの姿勢を維持し易くなる。よって、乳幼児が母親から離れた場合であっても、母親に抱えられた状態を乳幼児が体感でき、乳幼児の安らかな眠りを持続し易くなる。
【００７９】
押圧部材は、着用者の体圧がかかった際に、着用者の身体を押圧できる構成であればよく、例えば、弾性部材等によって構成できる。例えば、吸着性を有するゲルによって押圧部材を構成することにより、押圧部材を着用者の身体に密着でき、着用者の身体を支持する機能及び押圧する機能を好適に発揮できる。
【００８０】
このように、本発明は、ここでは記載していない様々な実施形態などを含むことは勿論である。したがって、本発明の技術的範囲は、上述の説明から妥当な特許請求の範囲に係る発明特定事項によってのみ定められるものである。
【００８１】
また、本実施の形態の前胴回り部には、伸縮性を有する腹部当接部が設けられているが、本発明の前胴回り部は、当該構成に限定されない。例えば、前胴回り部に、腹部当接部に代えて、前後方向に折り畳まれた襞が形成されていてもよい。飲食や排泄の状況に応じて着用者の腹の膨らみが変化する際に、襞が展開することで着用者の腹の膨らみ等に追従でき、前胴回り部の突っ張りや前胴回り部のたるみを抑制できる。
【符号の説明】
【００８２】
１０、１０Ａ、１０Ｂ        ：使い捨ておむつ
１Ａ      ：吸収性本体
１Ｂ      ：外装体
１ＢＦ    ：前外装体
１ＢＲ    ：後外装体
３        ：接合部
４        ：前胴回り縁部
６        ：後胴回り縁部
８        ：腰回り開口部
９        ：脚回り開口部
９Ｉ      ：内側端部
７１      ：外装表面シート
７２      ：外装裏面シート
８１      ：レッグ弾性部材
８１Ｆ    ：前レッグ弾性部材
８１Ｒ    ：後レッグ弾性部材
８２      ：腰回り弾性部材
ＣＬ１      ：中心
Ｌ        ：前後方向
Ｓ１      ：前胴回り部
Ｓ２      ：後胴回り部
Ｓ３      ：股下部
Ｗ        ：幅方向
【図１】
2015073624.tif 000003
【図２】
2015073624.tif 000004
【図３】
2015073624.tif 000005
【図４】
2015073624.tif 000006
【図５】
2015073624.tif 000007
【図６】
2015073624.tif 000008
【図７】
2015073624.tif 000009
【図８】
2015073624.tif 000010